(57)【要約】      （修正有）【課題】電源プラグとコンセント器具の双方又は、片方器具に電源プラグとコンセント器具の其々に、すき間によるホコリ等蓄積されないように施された器具である。【解決手段】プラグ器具１とコンセント器具４の双方又は、片方の其々に、すき間によるホコリ等が蓄積されないように施された器具を装着する事により、まずホコリ等が蓄積されないようにし、さらにプラグ器具１とコンセント器具４の双方又は、片方の其々に、ホコリ・水分等が蓄積されないようにコーティング等施された器具を装着する事により、ホコリ・水分も付着しにくくなり、トラッキング現象による火災を防止する。【選択図】図１
2017147213.tif 000002
【特許請求の範囲】
【請求項１】
（イ）電源プラグをコンセントに差し込んだ時この電源プラグとコンセントのすき間にホコリ等蓄積されないように、電源プラグとコンセント器具の両方に施された器具。又あるいは、電源プラグとコンセント器具の片方器具其々に、すき間によるホコリ等蓄積されないように施された器具である。
（ロ）すき間にホコリ等蓄積されないように、新規・新設、既存電源プラグとコンセント器具の両方に施された器具あるいは、電源プラグとコンセント器具の片方器具に其々施された器具等機能材の形状、材質、高さ、長さ、範囲、大きさ、色彩、厚さ、個数、密着度等この電源プラグとコンセントのすき間にホコリ等蓄積されないように設置する器具等に関する仕様については、限定しない。
（ハ）すき間にホコリ等蓄積されないように、電源プラグとコンセント器具の両方に施された器具あるいは、電源プラグとコンセント器具の片方器具に其々施された器具等機能材の形式は、挿入形式あるいは抜去形式等この電源プラグとコンセントのすき間にホコリ等蓄積されないように設置する器具の方式等に関する仕様については、限定しない。
（ニ）プラグをコンセントに差し込んだ時に、プラグ側にコンセントとのすき間によるホコリ等蓄積されないように施された個々のプラグ器具とプラグを受け入れるコンセントがプラグとのすき間によるホコリ等蓄積されないように施されたいくつも並んだ全体のコンセントと、個々プラグ受け入れの為の個々のコンセントがあり、これらの器具等機能材の形状、材質、高さ、長さ、範囲、大きさ、色彩、厚さ、個数、密着度、又コンセントとの挿入方式あるいは抜去方式等この電源プラグとコンセントのすき間にホコリ等蓄積されないように設置する器具等に関する仕様については、限定しない。
（ホ）既存電源プラグと既存コンセント器具において、このプラグとコンセントのすき間にホコリ等蓄積されないように、電源プラグとコンセント器具の両方に施された機能材又あるいは、このプラグとコンセント器具の片方器具其々に、すき間によるホコリ等蓄積されないように施された機能材の形状、材質、高さ、長さ、範囲、大きさ、色彩、厚さ、個数、密着度等この電源プラグとコンセントのすき間にホコリ等蓄積されないように設置する品物等に関する仕様については、限定しない。
【発明の詳細な説明】
【技術分野】
【００１】この発明は、電源プラグとコンセント器具の双方又は、片方器具に電源プラグとコンセント器具の其々に、すき間によるホコリ等蓄積されないように施された器具である。
【背景技術】
【００２】従来の電源プラグ・コンセント器具双方共、仕様、大きさ、形状、材質、デザイン、色彩等々多岐に渡って、千差万別数多くありました。
【発明が解決しようとする課題】
【００３】これは次のような欠点があった。
プラグとコンセントの隙間にホコリが溜まり、そのホコリが空気中の湿気を吸収することで、漏電発火する現象が数多くありました。例えば、特に冷蔵庫・エアコン等普段このような機器は、どの家庭でも２４時間使用、コンセントにプラグが差さっている状態でありますが、コンセントが機器の背面側に、あったりホコリ等目につきにくい又点検が中々し難い空間の為一回設置したらコンセントの点検等殆どの皆様がされて無い、出来ないと云うのが実情です。コンセントに差しっぱなしのプラグに溜まったホコリに湿気などの水分が付着し、電気が流れて、そして炎が発生します。いわゆるトラッキング現象と云う火災の原因です。そしてこのトラッキング現象は、厄介な事に、電気製品を使用していなくても、電源がＯＦＦで在ってもコンセントにプラグが差さっているだけで発生します。本発明は、これ等の欠点を無くす為に、電源プラグとコンセント器具の双方又は、片方器具に電源プラグとコンセント器具の其々に、すき間によるホコリ等蓄積されないように施された器具である。
【課題を解決する為の手段】
【００４】電源プラグとコンセント器具の双方又は、電源プラグとコンセント器具個々の其々に、すき間によるホコリ等蓄積されないように施された器具である。既存の電源プラグ・コンセント器具あるいは、増設・新設に対しても全ての電源プラグとコンセント器具に対応可能である。
【発明の効果】
【００５】既存のプラグとコンセントは、プラグとコンセントの隙間にホコリが溜まり、漏電発火する現象が数多くありました。これ等の欠点を無くす為に、電源プラグとコンセント器具の双方又は、片方器具に電源プラグとコンセント器具の其々に、すき間によるホコリ等蓄積されないように施された器具を装着する事により、まずホコリ等が蓄積されないようになりました。さらに電源プラグとコンセント器具の双方又は、片方器具に其々に、ホコリ・水分等蓄積されないようにコーティング等施された器具を装着する事により、ホコリ・水分も付着しにくくなり、トラッキング現象による火災が大幅に改善されました。
【発明を実地する為の最良の形態】
【００６】以下。本発明を実地する為の最良の形態について説明する。
まず既存電源プラグについて、コーティング等施された材質の品物でプラグ全体を覆い隠し（すき間によるホコリ等蓄積されないように施された器具）装着する、そしてこの品物の先端の先端をプラグの両刃間に（図参照）通し、プラグの両刃間とコンセントが完全に挿入された状態で、プラグの先端はみだし出し部とコンセントプラグ差し込み面をこの品物で緊密に密着させる。（図参照）より緊密に密着される為には、既存のコンセントと密着度を増加させるために、プラグに使用された材質と密着ＵＰするカバー材等を二面テープ等にて設置する。既存プラグと既存コンセント密着度を増加させる為には、コンセント自体全体に密着度を増加させるコーティング等仕様するのも一つの手段である。
新規・新設の電源プラグ・コンセント器具等については、最初から双方に図面にあるように、電源プラグとコンセント器具の双方又は、電源プラグとコンセント器具個々の其々に、すき間によるホコリ等蓄積されないように施された器具材等を設置・細工・制作してあれば、既存の電源プラグ・コンセント器具等に見られる細工をしなくても、少なくても今後は、トラッキング現象による火災は改善されるようになりました。
【図面の簡単な説明】
【００７】
【図１】本発明の平面図と立面図、側面図である。
【図２】本発明のあいそめ図である。
【符号の説明】
【００８】１  既存プラグ器具      ６  既存コンセント密着カバー材
２  既存コンセント器具  ７  既存プラグ密着カバー（コンセントとの接触カバー）
３  新設プラグ器具      ８  既存プラグ密着カバー（本体）
４  新設コンセント器具  ９  コンセントでプラグの両刃受け部を廻りより低く
５  プラグの両刃        １０  新規プラグ密着カバー
【図１】
2017147213.tif 000003
【図２】
2017147213.tif 000004